(57)【要約】【課題】施工面に取り付けられた状態で、施工面からの突出量が小さいこと。【解決手段】配線器具用プレート１０は、第１プレート１と、第２プレート２と、を備える。第１プレート１は、前方から見て配線器具の前面が第１開口窓１１の内側に位置するように、施工面Ａ１に取り付けられた配線器具に取り付けられる。第２プレート２は、前方から見て配線器具の前面が第２開口窓の内側に位置するように配線器具に取り付けられる。第２プレート２の一部は、前後方向において第１プレート１と重なり合っている。第２プレート２は、前後方向と直交する第１方向（上下方向）の両端縁に近づくほど、前後方向における前面と施工面Ａ１との間の距離が小さくなるように形成されている。【選択図】図１
2018088329.tif 000002
【特許請求の範囲】
【請求項１】
前後方向に貫通する第１開口窓を有する第１プレートと、
前後方向に貫通する第２開口窓を有し、前記第１プレートの後方に位置する第２プレートと、を備え、
前記第１プレートは、前方から見て配線器具の前面が前記第１開口窓の内側に位置するように、施工面に取り付けられた前記配線器具に取り付けられ、
前記第２プレートは、前方から見て前記配線器具の前面が前記第２開口窓の内側に位置するように前記配線器具に取り付けられ、
前記第２プレートの一部は、前後方向において前記第１プレートと重なり合っており、
前記第１プレート及び前記第２プレートは、いずれも前後方向と直交する第１方向の両端縁に近づくほど、前後方向における前面と前記施工面との間の距離が小さくなるように形成されていることを特徴とする配線器具用プレート。
【請求項２】
前記第１プレート及び前記第２プレートの各々の前面は、前後方向及び前記第１方向の両方向と直交する第２方向において、平坦に形成されていることを特徴とする請求項１記載の配線器具用プレート。
【請求項３】
前記第１プレートの前面は、前記第２プレートの前面に沿って湾曲していることを特徴とする請求項１又は２に記載の配線器具用プレート。
【請求項４】
前記第１プレートの外周縁の後端部、及び前記第２プレートの外周縁の前端部は、いずれも零よりも大きい曲率を有することを特徴とする請求項１乃至３のいずれか１項に記載の配線器具用プレート。
【請求項５】
前記第２プレートの前後方向及び前記第１方向の両方向と直交する第２方向の両端面は、後方を向いていることを特徴とする請求項１乃至４のいずれか１項に記載の配線器具用プレート。
【請求項６】
請求項１乃至５のいずれか１項に記載の配線器具用プレートと、
前記配線器具用プレートが取り付けられる配線器具と、を備えることを特徴とする配線器具システム。
【請求項７】
前記配線器具はスイッチであって、
前記スイッチを操作するためのスイッチハンドルをさらに備え、
前記スイッチハンドルは、前後方向と直交する軸を支点として回転可能に構成され、
前記スイッチハンドルは、平坦部と、前記平坦部の前記軸側の一端と反対側の一端に設けられる突出部とを有し、
前記突出部は、前記軸に沿う方向の全長にわたって前記平坦部よりも前方に突出することを特徴とする請求項６記載の配線器具システム。
【発明の詳細な説明】
【技術分野】
【０００１】
本発明は、一般に配線器具用プレート及び配線器具システムに関し、より詳細には、配線器具に取り付けられる配線器具用プレート及び配線器具システムに関する。
【背景技術】
【０００２】
従来、施工面に取り付けられるコンセントが知られており、例えば特許文献１に開示されている。特許文献１に記載のコンセントでは、施工面へのコンセントの取り付けのために用いられる組立枠に、化粧プレートが取り付けられている。化粧プレートは、コンセントにおける栓刃挿入口が設けられるカバーの前面を前方に露出させる露出穴を有している。
【先行技術文献】
【特許文献】
【０００３】
【特許文献１】特開２００９−２３８５３３号公報
【発明の概要】
【発明が解決しようとする課題】
【０００４】
上記従来例のコンセント（配線器具）に用いられる化粧プレートのような配線器具用プレートは、施工面に取り付けられた状態で、施工面からの突出量が小さい方が望ましい。
【０００５】
本発明は、上記の点に鑑みてなされており、施工面に取り付けられた状態で薄く見え易い配線器具用プレート及び配線器具システムを提供することを目的とする。
【課題を解決するための手段】
【０００６】
本発明の一態様に係る配線器具用プレートは、第１プレートと、第２プレートと、を備える。前記第１プレートは、前後方向に貫通する第１開口窓を有する。前記第２プレートは、前後方向に貫通する第２開口窓を有し、前記第１プレートの後方に位置する。前記第１プレートは、前方から見て配線器具の前面が前記第１開口窓の内側に位置するように、施工面に取り付けられた前記配線器具に取り付けられる。前記第２プレートは、前方から見て前記配線器具の前面が前記第２開口窓の内側に位置するように前記配線器具に取り付けられる。前記第２プレートの一部は、前後方向において前記第１プレートと重なり合っている。前記第１プレート及び前記第２プレートは、いずれも前後方向と直交する第１方向の両端縁に近づくほど、前後方向における前面と前記施工面との間の距離が小さくなるように形成されている。
【０００７】
本発明の一態様に係る配線器具システムは、上記の配線器具用プレートと、前記配線器具用プレートが取り付けられる配線器具と、を備える。
【発明の効果】
【０００８】
本発明は、施工面に取り付けられた状態で、施工面からの突出量を小さくすることができる。
【図面の簡単な説明】
【０００９】
【図１】図１は、本発明の実施形態１に係る配線器具用プレート及び配線器具システムの取付状態を示す斜視図である。
【図２】図２は、同上の配線器具用プレートのうちの第１プレート及び第２プレートの正面図である。
【図３】図３は、同上の配線器具用プレートの分解斜視図である。
【図４】図４は、同上の配線器具システムの分解斜視図である。
【図５】図５は、同上の配線器具用プレートのうちの第１プレート及び第２プレートを左方から見た平面図である。
【図６】図６は、同上の配線器具用プレートのうちの第１プレート及び第２プレートを上方から見た平面図である。
【図７】図７は、同上の配線器具用プレートを後方から見た平面図である。
【図８】図８は、同上の配線器具用プレートのうちの第１プレート及び第３プレートを後方から見た斜視図である。
【図９】図９は、同上の配線器具用プレートのうちの第１プレート及び第２プレートを後方から見た拡大斜視図である。
【図１０】図１０Ａは、同上の配線器具用プレートを後方から見た拡大した分解斜視図である。図１０Ｂは、同上の配線器具用プレートを後方から見た拡大斜視図である。
【図１１】図１１は、同上の配線器具用システムを左方から見た平面図である。
【図１２】図１２は、同上の配線器具用プレートのうちの第１プレート及び第２プレートを左方から見た拡大平面図である。
【図１３】図１３は、本発明の実施形態２に係る配線器具用プレート及び配線器具システムの分解斜視図である。
【図１４】図１４は、本発明の実施形態３に係る配線器具用プレート及び配線器具システムの分解斜視図である。
【発明を実施するための形態】
【００１０】
（実施形態１）
（１）概要
まず、本実施形態に係る配線器具用プレート１０及び配線器具システム１０１の概要について図１〜図４を用いて説明する。
【００１１】
本実施形態の配線器具システム１０１は、配線器具用プレート１０と、配線器具用プレート１０が取り付けられる配線器具５と、を備えている。本実施形態では、配線器具５はスイッチであるが、例えば後述する実施形態２に示すように、コンセント等であってもよい。
【００１２】
配線器具５は、配線器具５に対して電線を電気的に接続した状態で、施工面Ａ１（ここでは、建物の壁面）に取り付けられる。配線器具５は、埋込型の配線器具であって、取付枠４を用いて施工面Ａ１に取り付けられる。具体的には、配線器具５が取り付けられた取付枠４を、例えば埋込ボックスに対して固定することにより、配線器具５が施工面Ａ１に取り付けられる。ここでいう埋込ボックスは、一面が開放された箱状の部材であって、施工面Ａ１に形成された施工孔から上記一面を露出させるようにして、壁内に設置される。
【００１３】
配線器具用プレート１０は、配線器具５が施工面Ａ１に取り付けられた状態で、取付枠４を覆い隠すように構成されている。つまり、配線器具５に配線器具用プレート１０を取り付けることで、取付枠４などの外部に露出するのが好ましくない部位が配線器具用プレート１０に覆い隠され、配線器具５の前面が外部に露出する。また、配線器具用プレート１０は、配線器具５が設置されている環境において、配線器具５を目立たないようにさせるための意匠性を有している。
【００１４】
配線器具用プレート１０は、第１プレート１と、第２プレート２と、を備えている。第２プレート２は、施工面Ａ１と直交する方向（前後方向）において、第１プレート１よりも施工面Ａ１側に位置している。また、第２プレート２の一部は、前後方向において第１プレート１と重なり合っている。そして、第２プレート２は、前後方向と直交する第１方向（上下方向）の両端縁に近づくほど、前後方向における前面と施工面Ａ１との間の距離が小さくなるように形成されている。
【００１５】
このため、本実施形態の配線器具用プレート１０では、施工面Ａ１との境界において配線器具用プレート１０の前方への突出量を小さくすることができる。したがって、本実施形態の配線器具用プレート１０は、施工面Ａ１に取り付けた状態で薄く見え易い。
【００１６】
（２）詳細
以下、本実施形態の配線器具用プレート１０及び配線器具システム１０１について詳細に説明する。以下の説明では、施工面Ａ１である建物の壁面に配線器具５が取り付けられた状態において、施工面Ａ１と直交する方向を「前後方向」とし、第２プレート２から見て第１プレート１側を「前方」、第１プレート１から見て第２プレート２側を「後方」とする。また、以下の説明では、前後方向に直交し、かつ水平方向に平行な方向を「左右方向」とし、配線器具用プレート１０を正面から見た右方を「右方」、左方を「左方」とする。さらに、前後方向と左右方向との両方に直交する方向、つまり水平面に直交する方向を「上下方向」とし、配線器具用プレート１０を正面から見た上方を「上方」、下方を「下方」とする。
【００１７】
ここで、図面中の「前」、「後」、「上」、「下」、「左」、「右」を示す矢印は説明のために表記しているに過ぎず、実体を伴わない。また、上記に示す方向は、配線器具用プレート１０及び配線器具システム１０１の使用方向を限定する趣旨ではない。例えば、配線器具５が床面に取り付けられる場合は、「前後方向」は水平面に直交する方向となり、左右方向及び上下方向は、水平面に平行な方向となる。
【００１８】
本実施形態の配線器具システム１０１は、図１〜図４に示すように、配線器具用プレート１０と、取付枠４と、配線器具５と、を備える。本実施形態では、配線器具用プレート１０、取付枠４、及び配線器具５は、配線器具用プレート１０の長手方向が水平面に平行な方向となる向き（つまり、横向き）で、施工面Ａ１に取り付けられている。もちろん、配線器具用プレート１０、取付枠４、及び配線器具５は、例えば配線器具用プレート１０の長手方向が水平面に直交する方向となる向き（つまり、縦向き）で、施工面Ａ１に取り付けられていてもよい。
【００１９】
配線器具用プレート１０は、第１プレート１と、第２プレート２と、第３プレート３と、を備える。本実施形態では、第１プレート１及び第２プレート２が互いに結合され、第１プレート１及び第３プレート３が互いに結合されることで、第１プレート１、第２プレート２、及び第３プレート３が組み合わさるように構成されている。また、本実施形態では、第１プレート１、第２プレート２、及び第３プレート３は、いずれも同じ樹脂（例えば、ＰＣ（Polycarbonate）、ＡＢＳ樹脂、又はＡＳＡ樹脂などの熱可塑性樹脂）により形成されている。もちろん、第１プレート１、第２プレート２、及び第３プレート３は、それぞれ互いに異なる樹脂により形成されていてもよい。また、第１プレート１、第２プレート２、及び第３プレート３は、上記の樹脂以外の材料で形成されていてもよい。
【００２０】
第１プレート１は、前方から見て左右方向に長い長方形の枠状に形成されており、左右方向に長い長方形状の第１開口窓１１を有する。第１開口窓１１は、第１プレート１を前後方向に貫通している。また、第１プレート１は、左右方向において第１開口窓１１を挟んで対向する一対の第１縦片１２と、上下方向において第１開口窓１１を挟んで対向する一対の第１横片１３と、を有している。一対の第１縦片１２は、一対の第１横片１３のうちの上側の第１横片１３の左右方向の両端部と、下側の第１横片１３の左右方向の両端部との間を連結している。つまり、第１プレート１は、一対の第１縦片１２と一対の第１横片１３とで、第１開口窓１１を囲むように形成されている。以下の説明では、一対の第１横片１３は、一対の第１縦片１２との連結部位も含んでいるとする。つまり、本実施形態では、一対の第１縦片１２の上下方向の寸法は、それぞれ第１開口窓１１の上下方向の寸法と略等しい。
【００２１】
第１プレート１の後面には、図７、図８に示すように、後方に突出する突壁１５が一体に形成されている。言い換えれば、第１プレート１は、第１プレート１の後面から後方に突出する突壁１５を有している。突壁１５は、第１プレート１の外周縁に沿って延びており、全周に亘って設けられている。突壁１５は、後方から見て、突壁１５で囲まれる内側の領域に第３プレート３が収まる寸法で形成されている。また、突壁１５は、後方から見て、第２プレート２の第２開口窓２１の内側の領域に収まる寸法で形成されている。
【００２２】
突壁１５には、図８に示すように、長方形状の複数の取付凹部１５１が設けられている。取付凹部１５１は、突壁１５のうちの上下両壁に２つずつ、突壁１５のうちの左右両壁に１つずつ設けられている。突壁１５のうちの上下両壁に設けられた取付凹部１５１は、これらの壁を上下方向に貫通している。また、突壁１５のうちの左右両壁に設けられた取付凹部１５１は、これらの壁を左右方向に貫通している。複数の取付凹部１５１は、第１プレート１及び第２プレート２が互いに結合された状態において、それぞれ第２プレート２の複数の取付凸部２５（後述する）が嵌る位置に設けられている（図９参照）。
【００２３】
また、突壁１５のうちの左壁には、図８に示すように、第１凹部１５２が設けられている。第１凹部１５２は、突壁１５のうちの左壁の後端縁であって、上下方向における中央部において、前方に窪んだ長方形状に形成されている。第１凹部１５２は、第１プレート１及び第３プレート３が互いに結合された状態において、第３プレート３の凸部３６（後述する）の第１規制部３６１が嵌る位置に設けられている。つまり、突壁１５は、左右方向（前後方向と直交する第１方向）において第１開口窓１１を挟んだ左側（一方側）の部位に設けられて、前方に窪んだ第１凹部１５２を有している。そして、第３プレート３は、第１凹部１５２の内側に位置する凸部３６（第１規制部３６１）を有している。この構成では、第１プレート１及び第３プレート３が互いに結合された状態において、第１凹部１５２の内側に凸部３６が位置することで、第１プレート１及び第３プレート３の短手方向（上下方向）への移動が互いに規制される。したがって、この構成では、第１プレート１と第３プレート３とが互いに位置ずれを生じ難い。
【００２４】
第１プレート１の後面には、図７、図８に示すように、複数の引掛突起１６が一体に形成されている。引掛突起１６は、第１開口窓１１の四隅の近傍に１つずつ設けられており、後方に突出する形で形成されている。複数の引掛突起１６は、それぞれ第３プレート３の複数の取付孔３４（後述する）に挿入したときに、複数の取付孔３４の縁部に引掛かるように構成されている。
【００２５】
第１プレート１の後面には、図８に示すように、複数のリブ１７が一体に形成されている。リブ１７は、第１開口窓１１を挟んだ左右方向の両側に一対ずつ設けられており、後方に突出する形で形成されている。複数のリブ１７の前後方向の寸法は、複数の引掛突起１６の前後方向の寸法よりも小さい。複数のリブ１７は、第１プレート１及び第３プレート３が互いに結合された状態において、第３プレート３の前面と当たるように構成されている。つまり、複数のリブ１７は、第１プレート１及び第３プレート３が結合された状態において、第１プレート１と第３プレート３との間に一定の隙間を設ける機能を有している。
【００２６】
第１プレート１の後面には、図８に示すように、複数の位置決め突起１８が一体に形成されている。位置決め突起１８は、第１プレート１の左右両側縁に沿って一対ずつ、第１プレート１の上下両側縁に沿って１つずつ設けられており、後方に突出する形で形成されている。複数の位置決め突起１８は、第１プレート１及び第２プレート２が互いに結合された状態において、それぞれ第２プレート２の複数の位置決め凹部２７（後述する）に嵌る位置に設けられている。
【００２７】
第２プレート２は、前方から見て左右方向に長い長方形の枠状に形成されており、左右方向に長い長方形状の第２開口窓２１を有する。第２開口窓２１は、第２プレート２を前後方向に貫通している。第２プレート２は、前方から見て第１プレート１よりも大きい（図２参照）。また、第２開口窓２１は、前方から見て第１開口窓１１よりも大きい。第２プレート２は、左右方向において第２開口窓２１を挟んで対向する一対の第２縦片２２と、上下方向において第２開口窓２１を挟んで対向する一対の第２横片２３と、を有している。一対の第２縦片２２は、一対の第２横片２３のうちの上側の第２横片２３の左右方向の両端部と、下側の第２横片２３の左右方向の両端部との間を連結している。つまり、第２プレート２は、一対の第２縦片２２と一対の第２横片２３とで、第２開口窓２１を囲むように形成されている。以下の説明では、一対の第２横片２３は、一対の第２縦片２２との連結部位も含んでいるとする。つまり、本実施形態では、一対の第２縦片２２の上下方向の寸法は、それぞれ第２開口窓２１の上下方向の寸法と略等しい。
【００２８】
また、第２プレート２の一対の第２縦片２２の前後方向の寸法は、第１プレート１の一対の第１縦片１２の前後方向の寸法よりも大きくなっている。言い換えれば、第２プレート２の外周部２４（後述する）の短辺（第２縦片２２）の前後方向における厚さは、第１プレート１の外周縁の短辺（第１縦片１２）の前後方向における厚さよりも厚くなっている。この構成では、第２プレート２の外周部２４の短辺の厚さを厚くすることで、第２プレート２の強度を向上することができる。
【００２９】
第２プレート２は、図３、図９に示すように、複数の取付凸部２５を有している。具体的には、取付凸部２５は、一対の第２縦片２２に１つずつ、一対の第２横片２３に２つずつ設けられている。左側の第２縦片２２に設けられた取付凸部２５は、左側の第２縦片２２の内周縁から右方に突出している。右側の第２縦片２２に設けられた取付凸部２５は、右側の第２縦片２２の内周縁から左方に突出している。また、上側の第２横片２３に設けられた一対の取付凸部２５は、それぞれ上側の第２横片２３の内周縁から下方に突出している。下側の第２横片２３に設けられた一対の取付凸部２５は、それぞれ下側の第２横片２３の内周縁から上方に突出している。
【００３０】
複数の取付凹部１５１は、第１プレート１及び第２プレート２が互いに結合された状態において、それぞれ第２プレート２の複数の取付凸部２５が嵌る位置に設けられている。つまり、突壁１５及び第２プレート２のいずれか一方（ここでは、第２プレート２）は、前後方向に直交する向きに突出する取付凸部２５を有している。また、突壁１５及び第２プレート２のいずれか他方（ここでは、突壁１５）は、内側に取付凸部２５が位置する取付凹部１５１を有している。この構成では、前後方向において第１プレート１及び第２プレート２を互いに結合する構成と比較して、前後方向に沿って配線器具用プレート１０に掛かる外力に対する強度を向上することができる。したがって、この構成では、配線器具用プレート１０の使用時の安定性を向上することができる。仮に、前後方向において第１プレート１及び第２プレート２を互いに結合する構成であれば、第１プレート１に前方に窪んだ溝を設けるか、又は第２プレート２に後方に窪んだ溝を設ける必要があるため、前後方向における寸法（厚さ）が小さい部位が生じる。この場合、第１プレート１又は第２プレート２の強度が低下する可能性がある。
【００３１】
また、左側の第２縦片２２には、図１０Ａ、図１０Ｂに示すように、第２凹部２６が設けられている。第２凹部２６は、左側の第２縦片２２の後端縁であって、上下方向における中央部において、前方に窪んだ長方形状に形成されている。また、第２凹部２６は、第１プレート１及び第２プレート２が互いに結合された状態において、第１凹部１５２と対向している。そして、第２凹部２６は、第１プレート１、第２プレート２、及び第３プレート３が組み合わさった状態において、第３プレート３の凸部３６の第２規制部３６２（後述する）が嵌る位置に設けられている。つまり、第２プレート２は、第１凹部１５２と対向する部位に設けられて、前方に窪んだ第２凹部２６を有している。そして、凸部３６（第２規制部３６２）は、第２凹部２６の内側に位置する。この構成では、第２プレート２及び第３プレート３が互いに結合された状態において、第２凹部２６の内側に凸部３６が位置することで、第２プレート２及び第３プレート３の短手方向（上下方向）への移動が互いに規制される。したがって、この構成では、第２プレート２と第３プレート３とが互いに位置ずれを生じ難い。また、この構成では、凸部３６と第２凹部２６の底部との間に、例えばマイナスドライバなどの治具を差し込んだり、手の爪を差し込んだりすることで、梃子の原理を利用して第３プレート３を第２プレート２から外し易くなる。
【００３２】
また、第２凹部２６の上下方向の寸法は、第１凹部１５２の上下方向の寸法よりも小さくなっている。言い換えれば、前後方向及び第１方向（左右方向）の両方向と直交する第２方向（上下方向）において、第２凹部２６の寸法は、第１凹部１５２の寸法よりも小さくなっている。この構成では、凸部３６における第１凹部１５２に嵌まり込む部位（第１規制部３６１）の幅寸法（上下方向の寸法）を大きくすることで、凸部３６の強度を確保することができる。また、この構成では、凸部３６における第２凹部２６に嵌まり込む部位（第２規制部３６２）の幅寸法（上下方向の寸法）を小さくすることで、外部に露出する部位を小さくすることができ、配線器具用プレート１０の見栄えが損なわれ難い。
【００３３】
また、第２プレート２には、図３に示すように、複数の位置決め凹部２７が設けられている。位置決め凹部２７は、一対の第２縦片２２に一対ずつ、一対の第２横片２３に一つずつ設けられており、後方に窪んでいる。複数の位置決め凹部２７は、第１プレート１及び第２プレート２が互いに結合された状態において、それぞれ第１プレート１の複数の位置決め突起１８が嵌る位置に設けられている。
【００３４】
第３プレート３は、前方から見て左右方向に長い長方形の枠状に形成されており、左右方向に長い長方形状の第３開口窓３１を有する。第３開口窓３１は、第３プレート３を前後方向に貫通している。また、第３プレート３は、左右方向において第３開口窓３１を挟んで対向する一対の第３縦片３２と、上下方向において第３開口窓３１を挟んで対向する一対の第３横片３３と、を有している。一対の第３縦片３２は、一対の第３横片３３のうちの上側の第３横片３３の左右方向の両端部と、下側の第３横片３３の左右方向の両端部との間を連結している。つまり、第３プレート３は、一対の第３縦片３２と一対の第３横片３３とで、第３開口窓３１を囲むように形成されている。
【００３５】
第３プレート３には、図７、図８に示すように、複数の取付孔３４が設けられている。取付孔３４は、第３プレート３の四隅の近傍に１つずつ設けられており、前後方向に貫通している。複数の取付孔３４は、第１プレート１及び第３プレート３を互いに重ね合わせた状態において、それぞれ第１プレート１の複数の引掛突起１６と対向する位置に設けられている。
【００３６】
第３プレート３には、図７、図８に示すように、円形状の一対のねじ孔３５が設けられている。一対のねじ孔３５は、それぞれ一対の第３縦片３２の上下方向の中央部に１つずつ設けられており、前後方向に貫通している。一対のねじ孔３５は、第３プレート３及び取付枠４を互いに重ね合わせた状態において、それぞれ一対の結合孔４２３（後述する）と対向する位置に設けられている。
【００３７】
第３プレート３は、図１０Ａ、図１０Ｂに示すように、凸部３６を有している。凸部３６は、左側の第３縦片３２の外周縁であって、上下方向における中央部に設けられており、後方及び左方に突出している。凸部３６は、第１規制部３６１と、第２規制部３６２と、を有している。
【００３８】
第１規制部３６１は、左側の第３縦片３２の外周縁から後方に突出しており、長方形状に形成されている。第１規制部３６１は、第１プレート１及び第３プレート３が互いに結合された状態において、第１プレート１の第１凹部１５２の内側に位置する。また、第１規制部３６１の上下方向の寸法は、第１凹部１５２の上下方向の寸法よりも僅かに小さい。
【００３９】
第２規制部３６２は、第１規制部３６１の後端縁から左方に突出しており、長方形状に形成されている。第２規制部３６２は、第１プレート１、第２プレート２、及び第３プレート３が組み合わさった状態において、第２プレート２の第２凹部２６の内側に位置する。また、第２規制部３６２の上下方向の寸法は、第２凹部２６の上下方向の寸法よりも僅かに小さい。さらに、第２規制部３６２の上下方向の寸法は、第１規制部３６１の上下方向の寸法よりも小さい。
【００４０】
取付枠４は、図４に示すように、左右方向に長い長方形の枠状に形成されており、長方形状の開口窓４１を有する。取付枠４は、左右方向において開口窓４１を挟んで対向する一対の縦片４２と、上下方向において開口窓４１を挟んで対向する一対の横片４３と、を有している。一対の縦片４２は、一対の横片４３のうちの上側の横片４３の左右方向の両端部と、下側の横片４３の左右方向の両端部との間を連結している。つまり、取付枠４は、一対の縦片４２と一対の横片４３とで、開口窓４１を囲むように形成されている。
【００４１】
一対の縦片４２の各々は、長円状の第１固定孔４２１と、円形状の一対の第２固定孔４２２と、円形状の結合孔４２３と、を有している。第１固定孔４２１は、縦片４２を前後方向に貫通しており、埋込ボックス等へ取付枠４を固定する固定ねじを通すための孔である。一対の第２固定孔４２２は、それぞれ縦片４２を前後方向に貫通しており、取付枠４を施工面Ａ１に直付けする固定ねじを通すための孔である。結合孔４２３は、縦片４２の前面から前向きに突出した台部４２４において、縦片４２を前後方向に貫通して設けられている。結合孔４２３は、配線器具用プレート１０を取付枠４に固定する固定ねじを通すための孔である。
【００４２】
一対の横片４３の各々は、少なくとも一対の長方形状の取付孔４３１を有している。取付孔４３１は、横片４３を上下方向に貫通している。取付孔４３１は、配線器具５の取付爪５１３（後述する）が嵌められることで、配線器具５を取付枠４に固定するための孔である。
【００４３】
本実施形態では、一対の横片４３の各々は、三対の取付孔４３１を有している。つまり、本実施形態では、取付枠４は、後述する単位寸法の器具本体５１を左右方向に３個まで並べて取付可能に構成されている。言い換えれば、取付枠４には、１〜３個の範囲の任意の個数の配線器具５を取り付けることができる。ここでは、取付枠４には、１個の配線器具５が取り付けられる。
【００４４】
配線器具５は、いわゆるピアノハンドル式スイッチであり、図４に示すように、器具本体５１と、スイッチを操作するためのスイッチハンドル５２と、を備える。配線器具５は、電源と負荷（例えば、照明器具）とを電気的に接続する給電路の途中に電気的に接続される。そして、配線器具５の接点が閉じると、電源から負荷へ電力が供給され、配線器具５の接点が開くと、電源から負荷への電力の供給が遮断される。
【００４５】
器具本体５１は、取付枠４に対して最大で３個まで取付可能な単位寸法で形成されており、ランプ、一対の端子板、及び一対の端子板間の電路を開閉する接点などの部品を収納している。また、器具本体５１の前部には、押釦５１１が前後方向に移動可能な状態で取り付けられている。押釦５１１は、押し込まれるごとに接点の状態（開／閉）を切り替えるように構成されている。押釦５１１の前面は、器具本体５１から露出しており、スイッチハンドル５２に押されるようになっている。
【００４６】
器具本体５１の前面の上側には、透光性を有する長方形状のランプカバー５１２が取り付けられている。ランプカバー５１２は、器具本体５１の内部に収納されているランプの発する光を透過することで、ランプの発する光を外部へと出射させる。本実施形態では、ランプとして、例えば接点が閉じている状態で緑色に発光する発光ダイオードと、接点が開いている状態で赤色に発光する発光ダイオードと、が用いられている。
【００４７】
器具本体５１は、二対の取付爪５１３を有しており、器具本体５１の上下方向の両側面にそれぞれ一対ずつ設けられている。配線器具５は、器具本体５１を取付枠４の開口窓４１に挿入した状態で、二対の取付爪５１３を用いて器具本体５１を取付枠４に取り付けることにより、取付枠４に取り付けられる。具体的には、器具本体５１の上側面にある一対の取付爪５１３を、それぞれ取付枠４の上側の横片４３の一対の取付孔４３１に嵌め合わせる。そして、器具本体５１の下側面にある一対の取付爪５１３を、それぞれ取付枠４の下側の横片４３の一対の取付孔４３１に嵌め合わせることで、器具本体５１が取付枠４に取り付けられる。
【００４８】
スイッチハンドル５２は、平坦部５２１と、突出部５２２と、を有している。平坦部５２１の前面は、スイッチハンドル５２が操作されていない状態において、前後方向と直交する平面に略平行な面である（図１１参照）。突出部５２２は、平坦部５２１の下端に設けられており、左右方向の全長にわたって平坦部５２１よりも前方に突出している。言い換えれば、突出部５２２は、平坦部５２１における軸５１４側の一端と反対側の一端に設けられており、軸５１４に沿う方向の全長にわたって平坦部５２１よりも前方に突出している。また、突出部５２２は、下側に向かうほど、つまりスイッチハンドル５２の下端縁に近づくほど、前方に突出するように形成されている。
【００４９】
スイッチハンドル５２の突出部５２２を後方に押し込むと、スイッチハンドル５２は、一対の軸５１４によって支持される部位を支点として回転する。これにより、押釦５１１がスイッチハンドル５２により押し込まれ、接点の状態（開／閉）が切り替えられる。
【００５０】
ここで、突出部５２２を備えないスイッチハンドルにおいて、押し込み易さを考慮して、平坦部５２１の前後方向の寸法を大きくすることが考えられる。この場合、平坦部５２１が全体的に前方に突出することにより、スイッチハンドルの押し込み易さは向上するが、上下方向又は左右方向から見たときに配線器具システムが薄く見え易いという効果は期待できない。一方、突出部５２２を備えないスイッチハンドルにおいて、配線器具システムが薄く見え易いという効果を考慮して平坦部５２１の前後方向の寸法を小さくすると、配線器具システムが薄く見え易いという効果は期待できるが、スイッチハンドルを押し込み難くなる。これに対して、本実施形態のスイッチハンドル５２は、突出部５２２を備えているので、スイッチハンドル５２の押し込み易さを向上することができる。また、本実施形態のスイッチハンドル５２では、突出部５２２のみを前方に突出させ、平坦部５２１の前後方向の寸法を小さくすることができるので、配線器具システム１０１が薄く見え易いという効果が期待できる。
【００５１】
スイッチハンドル５２の上側であって、左右方向における中央部には、長円形状の透光部５２３が設けられている。透光部５２３は、透光性を有する部材を、スイッチハンドル５２を前後方向に貫通する孔の内部に埋め込んで構成されている。透光部５２３は、ランプカバー５１２から出射された光を透過することで、ランプの発する光を外部へと出射させる。
【００５２】
したがって、ユーザは、透光部５２３を見ることにより、周囲が暗い場合であっても配線器具システム１０１の位置を確認することができる。また、ユーザは、透光部５２３の色を見ることにより、配線器具５の接点の状態、つまり負荷の動作状態を知ることができる。例えば、ランプの光が緑色である場合、透光部５２３が緑色に光るため、ユーザは、負荷が動作中であると知ることができる。
【００５３】
（３）配線器具用プレートの組立方法、及び構成
本実施形態の配線器具用プレート１０は、以下のようにして組み立てられる。前提として、第３プレート３は、予め固定ねじを用いて取付枠４に取り付けられていると仮定する。まず、ユーザは、第２プレート２を第１プレート１に対して後方から押し当てる。これにより、第２プレート２の複数の取付凸部２５が、それぞれ第１プレート１の複数の取付凹部１５１に嵌め合わされ、第１プレート１及び第２プレート２が互いに結合される（第１手順）。また、このとき、第１プレート１の複数の位置決め突起１８が、それぞれ第２プレート２の複数の位置決め凹部２７内に位置することで、第１プレート１及び第２プレート２の短手方向（上下方向）及び長手方向（左右方向）への移動が互いに規制される。さらに、このとき、第２プレート２は、第１プレート１の突壁１５の外側に位置する。
【００５４】
次に、ユーザは、第２プレート２が結合された第１プレート１を第３プレート３に対して前方から押し当てる。これにより、第１プレート１の複数の引掛突起１６は、それぞれ第３プレート３の複数の取付孔３４に挿入される。そして、複数の引掛突起１６がそれぞれ複数の取付孔３４の縁部に引掛かることにより、第１プレート１及び第３プレート３が互いに結合される（第２手順）。このとき、第３プレート３の凸部３６の第１規制部３６１が、第１プレート１の第１凹部１５２内に位置することで、第１プレート１及び第３プレート３の短手方向（上下方向）への移動が互いに規制される。また、このとき、第３プレート３は、第１プレート１の突壁１５の内側に位置する。さらに、第３プレート３の凸部３６の第２規制部３６２が、第２プレート２の第２凹部２６内に位置することで、第２プレート２及び第３プレート３の短手方向（上下方向）への移動が互いに規制される。
【００５５】
上述のようにして、ユーザが第１手順及び第２手順を踏むことにより、第１プレート１、第２プレート２、及び第３プレート３を組み合わせることで、配線器具用プレート１０が組み立てられる。
【００５６】
本実施形態では、配線器具用プレート１０が取付枠４に取り付けられた状態において、配線器具５の前面（ここでは、スイッチハンドル５２の前面）は、第１開口窓１１、第２開口窓２１、及び第３開口窓３１を通して外部に露出するようになっている。つまり、第１プレート１は、前方から見て配線器具５の前面が第１開口窓１１の内側に位置するように、施工面Ａ１に取り付けられた配線器具５に取り付けられている。同様に、第２プレート２は、前方から見て配線器具５の前面が第２開口窓２１の内側に位置するように配線器具５に取り付けられている。同様に、第３プレート３は、前方から見て配線器具５の前面が第３開口窓３１の内側に位置するように配線器具５に取り付けられている。
【００５７】
本実施形態では、第１プレート１及び第２プレート２は、いずれも配線器具５に直接取り付けられているのではなく、第３プレート及び取付枠４を用いて間接的に配線器具５に取り付けられている。また、第３プレート３は、配線器具５に直接取り付けられているのではなく、取付枠４を用いて間接的に配線器具５に取り付けられている。
【００５８】
ここで、図１に示すように、第１プレート１及び第２プレート２が互いに結合された状態において、第２プレート２は、第１プレート１の後方に位置している。また、図２に示すように、第１プレート１の一対の第１縦片１２及び一対の第１横片１３は、第２プレート２の一対の第２縦片２２及び一対の第２横片２３に対して、これらの一部を覆うようにして前後方向において重なり合っている。つまり、第２プレート２の一部は、前後方向において第１プレート１と重なり合っている。
【００５９】
そして、図２に示すように、第２プレート２の外周形状は、第１プレート１の外周形状よりも大きいことから、第１プレート１及び第２プレート２が互いに結合された状態において、第２プレート２は、前方から見て第１プレート１よりも外側に突出している。つまり、第２プレート２は、前後方向と交差する向き（ここでは、上向き、下向き、左向き、右向き）で第１プレート１の外周縁から突出する外周部２４を有している。
【００６０】
また、本実施形態では、外周部２４は、図２に示すように、第２プレート２の全周にわたって設けられている。つまり、本実施形態では、第２プレート２は、前方から見て全周にわたって第１プレート１よりも外側に突出している。この構成では、外周部２４が第２プレート２の外周縁に沿って断続的に設けられる場合と比較して、配線器具用プレート１０の見栄えを向上することができる。
【００６１】
さらに、図１、図５に示すように、第１プレート１及び第２プレート２が互いに結合された状態において、第１プレート１の外周縁の前面と、第２プレート２の外周部２４の前面との間には段差がある。つまり、配線器具用プレート１０は、前後方向において、第１プレート１の外周縁と、第２プレートの外周部２４との間に段差部１４をさらに備えている。
【００６２】
そして、第１プレート１は、図５、図６に示すように、上下方向の両端縁に近づくほど、前後方向における前面と施工面Ａ１との間の距離が小さくなるように形成されている。具体的には、一対の第１縦片１２は、前後方向と直交する平面（言い換えれば、施工面Ａ１）と略平行となるように形成されている。一方、上側の第１横片１３は、第１プレート１の上端縁に近づくほど、前後方向における前面と施工面Ａ１との間の距離が小さくなるように湾曲して形成されている。また、下側の第１横片１３は、第１プレート１の下端縁に近づくほど、前後方向における前面と施工面Ａ１との間の距離が小さくなるように湾曲して形成されている。
【００６３】
また、第２プレート２は、図４、図５に示すように、上下方向（前後方向と直交する第１方向）の両端縁に近づくほど、前後方向における前面と施工面Ａ１との間の距離が小さくなるように形成されている。具体的には、一対の第２縦片２２は、前後方向と直交する平面（言い換えれば、施工面Ａ１）と略平行となるように形成されている。一方、上側の第２横片２３は、第２プレート２の上端縁に近づくほど、前後方向における前面と施工面Ａ１との間の距離が小さくなるように湾曲して形成されている。また、下側の第２横片２３は、第２プレート２の下端縁に近づくほど、前後方向における前面と施工面Ａ１との間の距離が小さくなるように形成されている。
【００６４】
（４）効果
本実施形態の配線器具用プレート１０では、第１プレート１及び第２プレート２は、いずれも第１方向（上下方向）の両端縁に近づくほど、前面と施工面Ａ１との間の距離が小さくなるように形成されている。したがって、本実施形態の配線器具用プレート１０は、施工面Ａ１に取り付けられた状態で、第１プレート１及び第２プレート２と施工面Ａ１との境界において、第１プレート１及び第２プレート２の施工面Ａ１からの突出量を小さくすることができる。言い換えれば、本実施形態の配線器具用プレート１０は、施工面Ａ１に取り付けられた状態で、施工面Ａ１からの突出量を小さくすることができる。したがって、本実施形態の配線器具用プレート１０では、配線器具用プレート１０と施工面Ａ１との境界が目立ち難いため、配線器具用プレート１０が薄く見え易いという効果が期待できる。
【００６５】
また、本実施形態の配線器具用プレート１０では、第１プレート１及び第２プレート２と施工面Ａ１との境界に段差が生じ難いため、配線器具用プレート１０に外部からの応力が掛かり難い。つまり、本実施形態の配線器具用プレート１０は、外部からの応力に対する強度も向上することができる。
【００６６】
ここで、第１プレート１の前面は、一対の第１縦片１２の前面と面一である。また、一対の第１縦片１２は、施工面Ａ１と略平行となるように形成されている。つまり、本実施形態では、第１プレート１の前面は、前後方向及び第１方向（上下方向）の両方向と直交する第２方向（左右方向）において、平坦に形成されている。また、第２プレート２の前面は、一対の第２縦片２２の前面と面一である。そして、一対の第２縦片２２は、施工面Ａ１と略平行となるように形成されている。つまり、本実施形態では、第１プレート１及び第２プレート２の各々の前面は、前後方向及び第１方向（上下方向）の両方向と直交する第２方向（左右方向）において、平坦に形成されている。この構成では、第１プレート１及び第２プレート２の各々の前面の外周縁が全周にわたって湾曲している構成と比較して、第１プレート１及び第２プレート２をユーザに印象付け易い。
【００６７】
また、本実施形態では、図５に示すように、第１プレート１及び第２プレート２の前面は、それぞれ前方に向かって凸状となるように形成されている。そして、第１プレート１及び第２プレート２が互いに結合された状態において、第１プレート１の前面は、第２プレート２の前面に沿って湾曲している。この構成では、第１プレート１の前面が第２プレート２の前面に沿って湾曲していない構成と比較して、見栄えを向上することができる。例えば、第１プレート１の前面の曲率と、第２プレート２の前面の曲率とが略等しくなければ、第１プレート１及び第２プレート２の一体感が失われ、見栄えを損なう可能性がある。
【００６８】
また、本実施形態では、図１２に示すように、第１プレート１の外周縁の後端部１Ａは、平面視で丸みを帯びた形状に形成されている。このため、第１プレート１の外周縁と、第２プレート２の外周部２４との間には、隙間１９が設けられている。言い換えれば、本実施形態の配線器具用プレート１０は、前後方向において、第１プレート１の外周縁と、第２プレート２の外周部２４との間に隙間１９を有している。この構成では、隙間１９に例えばマイナスドライバなどの治具を差し込んだり、手の爪を差し込んだりすることで、梃子の原理を利用して第１プレート１を第２プレート２から外し易くなる。また、この構成では、隙間１９を有しない場合と比較して、ユーザが第１プレート１に注視し易く、結果として配線器具用プレート１０が薄く見え易いという効果を期待できる。
【００６９】
さらに、本実施形態では、第２プレート２の外周縁の前端部２Ａは、平面視で丸みを帯びた形状に形成されている。つまり、第１プレート１の外周縁の後端部１Ａ、及び第２プレート２の外周縁の前端部２Ａは、いずれも零よりも大きい曲率を有している。この構成では、第１プレート１の外周縁の後端部１Ａ、及び第２プレート２の外周縁の前端部２Ａが尖っている場合と比較して、薄く見え易いという効果が期待できる。
【００７０】
また、本実施形態では、図６に示すように、第２プレート２の左右方向の両端部は、斜め後方に沿った平面で切断されているような形状となっている。このため、第２プレート２の左右方向の両端部は、それぞれ斜め後方に沿った端面２８を有している。つまり、第２プレート２の前後方向及び第１方向（上下方向）の両方向と直交する第２方向（左右方向）の両端面は、後方を向いている。この構成では、施工面Ａ１が粗い場合であっても、施工面Ａ１に配線器具用プレート１０を取り付けた際に、配線器具用プレート１０と施工面Ａ１との間に生じ得る隙間が目立ち難く、見栄えを向上することができる。また、本実施形態では、図７に示すように、第２プレート２の左側の第２縦片２２に第２凹部２６が設けられており、この第２凹部２６から凸部３６が外部に露出している。このため、端面２８を後方に向ける構成であれば、前方から見て第２凹部２６及び凸部３６を視認し難くなり、見栄えを向上することができる。
【００７１】
＜変形例＞
ところで、本実施形態では、第２プレート２の一部が外周部２４として第１プレート１よりも外側に突出しているが、他の構成であってもよい。例えば、第２プレート２は、外周部２４を有していなくてもよい。この場合、第２プレート２の外周縁は、第１プレート１の外周縁と面一であってもよいし、第１プレート１の外周縁よりも内側にあってもよい。
【００７２】
また、本実施形態の配線器具用プレート１０では、第２プレート２の光の反射率は、第１プレート１の光の反射率よりも小さくてもよい。具体的には、比較的光の反射率の大きい白色の塗装を第１プレート１の前面に施し、比較的光の反射率の小さい黒色の塗装を第２プレート２の前面に施してもよい。この構成では、ユーザが第２プレート２よりも第１プレート１に注視し易くなり、配線器具用プレート１０が薄く見え易いという効果が期待できる。もちろん、第１プレート１の光の反射率と、第２プレート２の光の反射率との関係は、上記の関係に限定されない。例えば、第１プレート１の光の反射率が、第２プレート２の光の反射率よりも小さい構成であってもよい。その他、第１プレート１及び第２プレート２の彩色は、白色及び黒色の組み合わせに限定されず、例えば白色及び銀色又はコバルトブルーの組み合わせであってもよいし、灰色及び銀色の組み合わせであってもよい。また、彩色は塗装に限らず、例えば第１プレート１及び第２プレート２自身が発色する構成であってもよい。
【００７３】
また、本実施形態では、第１プレート１、第２プレート２、及び第３プレート３は、互いに異なる部材で構成されているが、他の構成であってもよい。例えば、第１プレート１及び第２プレート２は、一体に形成されていてもよい。
【００７４】
また、本実施形態では、突壁１５は、第１プレート１の全周にわたって連続して形成されているが、他の構成であってもよい。例えば、突壁１５は、複数の壁を有し、これら複数の壁を第１プレート１の外周縁に沿って間隔を空けて並べて構成されていてもよい。
【００７５】
また、本実施形態では、配線器具５はピアノハンドル式スイッチであるが、いわゆるロッカー式（シーソー式）スイッチであってもよい。
【００７６】
また、本実施形態の配線器具システム１０１は、配線器具５を１個のみ備える構成であるが、複数の配線器具５を備える構成であってもよい。
【００７７】
また、本実施形態では、配線器具用プレート１０は、前方から見て長方形状であるが、前方から見て正方形状であってもよい。また、配線器具用プレート１０は、前方から見て矩形状でなくてもよく、例えば前方から見て円形状や多角形状であってもよい。
【００７８】
また、本実施形態では、第１開口窓１１、第２開口窓２１、及び第３開口窓３１は、いずれも前方から見て長方形状であるが、前方から見て正方形状であってもよい。また、第１開口窓１１、第２開口窓２１、及び第３開口窓３１は、いずれも前方から見て矩形状でなくてもよく、例えば前方から見て円形状や多角形状であってもよい。つまり、第１開口窓１１、第２開口窓２１、及び第３開口窓３１は、いずれも配線器具５の前面を外から見ることができるような形状であればよい。
【００７９】
また、本実施形態の配線器具用プレート１０では、第２プレート２は、第２開口窓２１の外周縁の全周にわたって後方に窪んだ窪みを有していてもよい。そして、第１プレート１は、第２プレート２の窪みに載せ置かれる構成であってもよい。この構成では、窪みの前後方向の寸法（厚さ）の分だけ、配線器具用プレート１０の厚さを小さくすることができる。
【００８０】
（５）まとめ
以上述べたように、第１の態様の配線器具用プレート１０は、第１プレート１と、第２プレート２と、を備える。第１プレート１は、前後方向に貫通する第１開口窓１１を有する。第２プレート２は、前後方向に貫通する第２開口窓２１を有し、第１プレート１の後方に位置する。第１プレート１は、前方から見て配線器具５の前面が第１開口窓１１の内側に位置するように、施工面Ａ１に取り付けられた配線器具５に取り付けられる。第２プレート２は、前方から見て配線器具５の前面が第２開口窓２１の内側に位置するように配線器具５に取り付けられる。第２プレート２の一部は、前後方向において第１プレート１と重なり合っている。第１プレート１及び第２プレート２は、いずれも前後方向と直交する第１方向（上下方向）の両端縁に近づくほど、前後方向における前面と施工面Ａ１との間の距離が小さくなるように形成されている。
【００８１】
この構成によると、配線器具用プレート１０が施工面Ａ１に取り付けられた状態で、施工面Ａ１からの突出量を小さくすることができるので、配線器具用プレート１０が薄く見え易いという効果が期待できる。
【００８２】
また、第２の態様の配線器具用プレート１０では、第１の態様において、第１プレート１及び第２プレート２の各々の前面は、前後方向及び第１方向（上下方向）の両方向と直交する第２方向（左右方向）において、平坦に形成されている。
【００８３】
この構成によると、第１プレート１及び第２プレート２の各々の前面の外周縁が全周にわたって湾曲している構成と比較して、第１プレート１及び第２プレート２をユーザに印象付け易い。ただし、この構成は必須ではなく、第１プレート１及び第２プレート２の各々の前面は、第２方向において平坦に形成されていなくてもよい。例えば、第１プレート１及び第２プレート２は、いずれも第２方向の両端縁に近づくほど、前後方向における前面と施工面Ａ１との間の距離が小さくなるように形成されていてもよい。
【００８４】
また、第３の態様の配線器具用プレート１０では、第１又は第２の態様において、第１プレート１の前面は、第２プレート２の前面に沿って湾曲している。
【００８５】
この構成によると、第１プレート１の前面が第２プレート２の前面に沿って湾曲していない構成と比較して、見栄えを向上することができる。ただし、この構成は必須ではなく、第１プレート１の前面は、第２プレート２の前面に沿って湾曲していなくてもよい。
【００８６】
また、第４の態様の配線器具用プレート１０では、第１〜第３のいずれかの態様において、第１プレート１の外周縁の後端部１Ａ、及び第２プレート２の外周縁の前端部２Ａは、いずれも零よりも大きい曲率を有している。
【００８７】
この構成によると、第１プレート１の外周縁の後端部１Ａ、及び第２プレート２の外周縁の前端部２Ａが尖っている場合と比較して、薄く見え易いという効果が期待できる。ただし、この構成は必須ではなく、第１プレート１の外周縁の後端部１Ａ、及び第２プレート２の外周縁の前端部２Ａは、いずれも尖っていてもよい。
【００８８】
また、第５の態様の配線器具用プレート１０では、第１〜第４のいずれかの態様において、第２プレート２の前後方向及び第１方向（上下方向）の両方向と直交する第２方向（左右方向）の両端面は、後方を向いている。
【００８９】
この構成によると、施工面Ａ１が凹凸を有する等して、施工面Ａ１が粗い場合であっても、施工面Ａ１に配線器具用プレート１０を取り付けた際に、配線器具用プレート１０と施工面Ａ１との間に生じ得る隙間が目立ち難く、見栄えを向上することができる。ただし、この構成は必須ではなく、第２プレート２の第２方向の両端面は、前後方向に沿った面であってもよいし、前方を向いていてもよい。また、第２プレート２の第１方向の両端面が後方を向いていてもよい。
【００９０】
また、第６の態様の配線器具システム１０１は、第１〜第５のいずれかの態様の配線器具用プレート１０と、配線器具用プレート１０が取り付けられる配線器具５と、を備える。
【００９１】
この構成によると、施工面Ａ１に取り付けられた状態で、配線器具用プレート１０の施工面Ａ１からの突出量を小さくすることができる配線器具システム１０１を実現することができる。
【００９２】
また、第７の態様の配線器具システム１０１では、第６の態様において、配線器具５はスイッチである。配線器具システム１０１は、スイッチを操作するためのスイッチハンドル５２をさらに備える。スイッチハンドル５２は、前後方向と直交する軸５１４を支点として回転可能に構成される。スイッチハンドル５２は、平坦部５２１と、平坦部５２１の軸５１４側の一端と反対側の一端（下端）に設けられる突出部５２２とを有する。突出部５２２は、軸５１４に沿う方向（左右方向）の全長にわたって平坦部５２１よりも前方に突出する。
【００９３】
この構成によると、スイッチハンドル５２の押し込み易さを向上することができ、かつ、配線器具システム１０１が薄く見え易いという効果が期待できる。ただし、この構成は必須ではなく、スイッチハンドル５２は、例えば平坦部５２１のみで構成されていてもよい。
【００９４】
（実施形態２）
以下、実施形態２に係る配線器具システム１０２について図１３を用いて説明する。ただし、本実施形態の配線器具システム１０２の基本的な構成は、実施形態１の配線器具システム１０１（変形例を含む）と共通するので、共通する部位には同一の符号を付して説明を省略する。
【００９５】
本実施形態の配線器具システム１０２は、図１３に示すように、実施形態１とは異なり、配線器具５の代わりに配線器具５００を備えている。また、本実施形態の配線器具システム１０２は、実施形態１とは異なり、第３プレート３及び取付枠４の代わりに第３プレート３００を備えている。また、本実施形態では、実施形態１とは異なり、コンセントである配線器具５００の前面を外部に露出させるだけでよいため、第１プレート１の第１開口窓１１の大きさは、実施形態１の第１開口窓１１の大きさよりも小さくなっている。
【００９６】
第３プレート３００は、例えば樹脂により、左右方向に長い長方形の枠状に形成されている。また、第３プレート３００は、実施形態１の取付枠４と同等の寸法で形成されている。第３プレート３００は、第３開口窓３０１と、一対の第３縦片３０２と、一対の第３横片３０３と、複数（ここでは、４つ）の取付孔３０４と、を有している。また、第３プレート３００は、複数（ここでは、２つ）の第１固定孔３０５と、複数（ここでは、４つ）の第２固定孔３０６と、複数組（ここでは、３組）の取付部３０７と、を有している。その他、第３プレート３００は、図示を省略するが、実施形態１の第３プレート３と同様に、凸部３６を有している。また、第３プレート３００の第３開口窓３０１の大きさは、実施形態１の第３開口窓３１の大きさよりも小さくなっている。
【００９７】
ここで、第３プレート３００は、実施形態１の第３プレート３と、実施形態１の取付枠４との両方の機能を有している。つまり、第３プレート３００の第３開口窓３０１、第３縦片３０２、第３横片３０３、及び取付孔３０４は、それぞれ実施形態１の第３プレート３の第３開口窓３１、第３縦片３２、第３横片３３、及び取付孔３４に対応する。また、第３プレート３００の第１固定孔３０５及び第２固定孔３０６は、それぞれ実施形態１の取付枠４の第１固定孔４２１及び第２固定孔４２２に対応する。
【００９８】
複数の取付部３０７は、それぞれ配線器具５００を第３プレート３００に取り付けるための構造を有している。本実施形態では、複数の取付部３０７は、図示を省略するが、配線器具５００の取付爪５０５（後述する）を引っ掛けるための引掛溝を有している。
【００９９】
配線器具５００は、電気機器のプラグが接続されて電気機器への電力供給を行うコンセント（Outlet）である。本実施形態では、配線器具５００は、接地極付きであって、２個のプラグを同時に接続可能な２個口タイプのコンセントである。配線器具５００は、ボディ５０１及びカバー５０２を結合してなる器体を有する。器体には、刃受け部材及び端子板などの部品が収納されている。カバー５０２の前面には、複数の挿入孔５０３が形成されている。これら複数の挿入孔５０３に、電気機器のプラグのピン又は栓刃が差し込まれることにより、配線器具５００に対して電気機器が電気的に接続される。本実施形態では、配線器具５００は、一対の電源極（Ｌ極及びＮ極）と接地極とを有するプラグに適合するように、３つ一組の挿入孔５０３を二組有している。
【０１００】
ボディ５０１及びカバー５０２は、左右方向に長い長方形の枠状の取付具５０４により結合されている。取付具５０４は、複数（ここでは、４つ）の取付爪５０５を有している。したがって、取付具５０４の複数の取付爪５０５を、それぞれ第３プレート３００の複数の取付部３０７に引掛けることにより、配線器具５００が第３プレート３００に取り付けられる。
【０１０１】
本実施形態の配線器具システム１０２は、実施形態１の配線器具システム１０１と同様に、配線器具用プレート１０が施工面Ａ１に取り付けられた状態で薄く見え易い配線器具システムを実現できる。
【０１０２】
ところで、配線器具５００は、２個口タイプのコンセントに限定されない。例えば、配線器具５００は、１個口タイプのコンセントであってもよいし、さらに多数のプラグが接続可能なコンセントであってもよい。また、第３プレート３００に取り付けられる配線器具５００の数は、１個に限らず、２個以上であってもよい。
【０１０３】
（実施形態３）
以下、実施形態３に係る配線器具システム１０３について図１４を用いて説明する。ただし、本実施形態の配線器具システム１０３の基本的な構成は、実施形態１の配線器具システム１０１（変形例を含む）と共通するので、共通する部位には同一の符号を付して説明を省略する。
【０１０４】
本実施形態の配線器具システム１０３は、図１４に示すように、実施形態１と比べて、取付枠４の形状が異なっている。また、本実施形態の配線器具システム１０３は、実施形態１とは異なり、配線器具５に加えて、配線器具５００を備えている。また、配線器具５は、実施形態１とは異なり、スイッチハンドル５２の代わりに、スイッチハンドル５３を有している。また、配線器具５００は、実施形態２とは異なり、１個口タイプのコンセントである。さらに、配線器具５００は、１個口タイプのコンセント用の化粧カバー５４を有している。化粧カバー５４は、開口窓５４１を有している。開口窓５４１は、化粧カバー５４を前後方向に貫通しており、配線器具５００の前面を外部に露出させる。
【０１０５】
取付枠４の一対の横片４３の左右方向における中央部は、連結片４４により互いに連結されている。この連結片４４により、開口窓４１は、左右方向において第１開口部４１１及び第２開口部４１２に区分けされている。本実施形態では、第１開口部４１１に配線器具５の前面が位置し、第２開口部４１２に配線器具５００の前面が位置する。上側の横片４３において、第２開口部４１２と対向する内周縁には、取付部４５が設けられている。同様に、下側の横片４３において、第２開口部４１２と対向する内周縁には、取付部４５が設けられている。これら取付部４５は、実施形態２の取付部３０７と同じ機能を有している。つまり、配線器具５００は、取付具５０４の複数の取付爪５０５を、それぞれ取付枠４の複数の取付部４５に引掛けることにより、取付枠４に取り付けられる。
【０１０６】
スイッチハンドル５３は、取付枠４に配線器具５が３個取り付けられる場合に使用される３個用ハンドルである。スイッチハンドル５３は、平坦部５３１と、突出部５３２と、透光部５３３と、を有している。平坦部５３１、突出部５３２、及び透光部５３３は、それぞれ実施形態１のスイッチハンドル５２の平坦部５２１、突出部５２２、及び透光部５２３に対応する。
【０１０７】
本実施形態の配線器具システム１０３は、実施形態１の配線器具システム１０１と同様に、配線器具用プレート１０が施工面Ａ１に取り付けられた状態で薄く見え易い配線器具システムを実現できる。
【０１０８】
ところで、取付枠４に取り付けられる配線器具５００の数は、１個に限らず、複数個であってもよい。また、取付枠４に取り付けられる配線器具５の数は、１個に限らず、複数個であってもよい。
【０１０９】
ここで、上述の実施形態１〜３において、配線器具５，５００は、屋内用に限らず、建物の外部で使用される屋外用の装置であってもよい。また、配線器具５００は、接地極を有していなくてもよく、例えば交流１００Ｖ用又は直流用のコンセントであってもよい。さらに、配線器具５００は、Ａタイプ及びＣタイプのプラグに適合したコンセントに限らず、例えばＡタイプのプラグのみ、又はＢタイプ、ＢＦタイプ、Ｃタイプ若しくはＯタイプ等のプラグを接続可能なコンセントであってもよい。
【０１１０】
また、配線器具５，５００は、上述のスイッチ、コンセントに限らず、例えば人感センサ又はタイマ等であってもよい。さらに、配線器具５，５００は、例えば人感センサ付きのコンセントのように、コンセント、スイッチ、人感センサ、タイマ等のうち２以上の機能の組み合わせであってもよい。
【０１１１】
また、配線器具５，５００は、後部が壁内に埋め込まれた状態で設置される構成（埋込設置型）に限らず、全体が露出した状態で壁に設置される構成（露出設置型）であってもよい。また、取付枠４は、埋込ボックスに固定される構成に限らず、例えば挟み金具などを用いて施工面Ａ１に取り付けられる構成であってもよい。
【０１１２】
以上、実施形態１〜３に係る配線器具用プレート１０、及び配線器具システム１０１〜１０３について説明した。ただし、以上に説明した実施形態１〜３は、本発明の様々な実施形態の一つに過ぎない。上記の実施形態１〜３は、本発明の目的を達成できれば、設計等に応じて種々の変更が可能である。
【符号の説明】
【０１１３】
１  第１プレート
１１  第１開口窓
２  第２プレート
２１  第２開口窓
５，５００  配線器具
１０  配線器具用プレート
１０１，１０２，１０３  配線器具システム
Ａ１  施工面
【図１】
2018088329.tif 000003
【図２】
2018088329.tif 000004
【図３】
2018088329.tif 000005
【図４】
2018088329.tif 000006
【図５】
2018088329.tif 000007
【図６】
2018088329.tif 000008
【図７】
2018088329.tif 000009
【図８】
2018088329.tif 000010
【図９】
2018088329.tif 000011
【図１０】
2018088329.tif 000012
【図１１】
2018088329.tif 000013
【図１２】
2018088329.tif 000014
【図１３】
2018088329.tif 000015
【図１４】
2018088329.tif 000016